(57)【要約】【課題】硬膜外針の貫通孔が、針管軸中心より下側（刃面の裏側より）にあっても、高い精度でスパイナル針の刃先を貫通孔から突出させることができ、また、スパイナル針挿入中、常に針を押さえていなくても良い、使い勝手に優れた硬脊麻針セットを提供すること。【解決手段】外針１の先端を湾曲すると共に、該湾曲部１１３背面に貫通孔１１４を設けた硬膜外麻酔のための針（硬膜外針）と、前記硬膜外針１の外針内腔に挿通され、前記貫通孔１１４より先端部を突出させて用いる脊髄麻酔のための針３（スパイナル針）とからなるセットにおいて、前記スパイナル針３が、針管３１の中途でＶ字形状などの複数の曲点よりなる曲がり部３１２を備え、該曲がり部３１２を挟み、先端側の針管軸が基側の針管軸に比して僅かに傾斜するように形成した。【選択図】  図１
2008284181.tif 000002
【特許請求の範囲】
【請求項１】
内外２重針よりなり、外針の先端を湾曲すると共に、該湾曲部背面に貫通孔を設けた硬膜外麻酔のための針（硬膜外針）と、内外２重針よりなり、前記硬膜外針の外針内腔に挿通され、前記貫通孔より先端部を突出させて用いる脊椎麻酔のための針（スパイナル針）と、からなる硬脊麻針セットにおいて、前記スパイナル針は、針管の中途で複数の曲点よりなる曲がり部を備え、該曲がり部を挟み、先端側の針管軸が基側の針管軸に比して僅かに傾斜して形成されることを特徴とする硬脊麻針セット。
【請求項２】
前記スパイナル針の曲がり部は、Ｖ字形状をなす請求項１の硬脊麻針セット。
【請求項３】
前記スパイナル針曲がり部のＶ字形状の角度は、
基側の第一の曲がり部は、針管軸に対し、４度以上６度以下、
該第一の曲がり部に連続して第一の曲がり部と反対側に曲げられる、第二の曲がり部は、針軸管に対し第一の曲がり部と同等の角度、
該第二の曲がり部に連続して第二の曲がり部と反対側に戻し曲げられる、第三の曲がり部は、針軸管に対して、第一及び第二の曲がり部の角度に比して２度から４度小さく形成される請求項２の硬脊麻針セット。
【請求項４】
前記スパイナル針の外針は、先端部が細径に絞られた中空パイプよりなる請求項１乃至３いずれかの硬脊麻針セット。
【発明の詳細な説明】
【技術分野】
【０００１】
本発明は、麻酔用穿刺針に関し、詳しくは、硬膜外麻酔と脊椎麻酔双方に適用可能な硬脊麻酔針セットに関する。
【背景技術】
【０００２】
同一手術で、硬膜外麻酔と脊椎麻酔を併用するさいに、硬膜外麻酔用の針（硬膜外針）と脊椎麻酔用の針（スパイナル針）を別々に穿刺する必要がない器具として、初めに穿刺される硬膜外針の外針の内腔を通じて、スパイナル針を穿刺する、２種類の針がセットとなった硬脊麻針セットがある。
【０００３】
従来の硬脊麻針セットとしては、針管の刃先をくの字に曲げて、該曲げた部位に貫通孔を設け目盛を施した外針と、該外針に内蔵する内針（以上、硬膜外針）と、前記外針の貫通穴から刃先が突出可能な二重針（スパイナル針）とにより構成したものがある。(特許文献1)
しかし、この硬脊麻針セットの硬膜外針の外針に設ける貫通孔は、構造的に針管軸の中心から下側に逸れた、くの字の背面（刃面の裏側）となること、また、刃面の開口部に比較して小さい孔であるため、該硬膜外針内腔に挿入されるスパイナル針の刃先が、貫通孔ではなく、刃面の開口部側に誘導されてしまうなど、スパイナル針が上手く貫通孔から突出しない場合があるという問題がある。
また、スパイナル針によるくも膜下腔への穿刺は、針管が太くなると副作用が伴うため、該スパイナル針は、極力細径の針を使用する必要があり、一方、硬膜外針は、内部に硬膜外カテーテルを挿通する必要からある程度の内径が求められることで、硬膜外針の内腔とスパイナル針の外径との径の関係上、該硬膜外針の内腔とスパイナル針とには、かなりの隙間があるため、このスパイナル針の穿刺のさい、即ち、確認しながら針を少しずつ進めていく間、常に針を保持していなければならないという問題がある。
尚、本明細書中に表記される、針管軸の上（上側）、下（下側）とは、硬膜外針外針の針管の中心軸に対し、刃面が形成された側を上（上側）とし、刃面と反対側（裏側）を下（下側）として表すものとする。
【０００４】
そこで、貫通孔からのスパイナル針の突出をより確実にする器具として、硬膜外針の外針の貫通孔を先端側から見て円形状とし、該貫通孔の中心を針管軸心よりやや上方に設け、更に、スパイナル針の外周にスペーサーチューブを設けて構成し、スパイナル針の刃先が貫通孔に誘導されやすいとした穿刺針が提案されている。（特許文献２）
【特許文献１】実公昭６３−４１００７号公報
【特許文献２】実公平８−５７１４号公報
【発明の開示】
【発明が解決しようとする課題】
【０００５】
しかし、前記特許文献２の硬膜外針では、湾曲した外針軸心よりやや上方に貫通穴を設けることになっているが、一般的な外径の硬膜外針の外針においては、針管軸の中心は、刃先にあたるか、あるいは、刃先に極めて近い位置となるため、該位置設定では貫通孔が刃先にかかってしまう、あるいは近接しすぎてしまうことが懸念され、これを避けるため、湾曲部より刃先側を長く形成するなどの対策を施すことも、穿刺性を考慮すると不適切であることから、必ずしも現実的な手段とはいえない。また、何らかの手段により、貫通孔を該位置に設けることが可能であったとしても、細径な針管の中心軸を０．１ｍｍ単位の精度で特定することは困難で、また、スパイナル針にスペーサーチューブを被覆あるいは接着する必要があるなど製造が面倒になるといった問題がある。
また、スペーサーチューブにより、硬膜外針の内腔とスパイナル針との隙間は小さくなるが、挿入性を考慮するとある程度の隙間は必要とすることから、前記で問題となった、穿刺時に手で保持していなければいけないといった問題に関しては十分これを達成するものとは言えない。
【０００６】
そこで、本発明は、硬膜外針の外針先端に設ける貫通孔が、該外針の針管軸中心より下側（刃面の裏側より）にあっても、高い精度でスパイナル針の刃先を貫通孔から突出させることができ、また、製造が容易で、更に、硬膜外針内腔を通してのスパイナル針の挿入のさい、挿入中、常に針を押さえていなくても留め置くことのできる使い勝手に優れた硬脊麻針セットを提供することを課題とした。
【課題を解決するための手段】
【０００７】
本発明の硬脊麻針セットは、内外２重針よりなり、外針の先端を湾曲すると共に、該湾曲部背面に貫通孔を設けた硬膜外麻酔のための針（硬膜外針）と、内外２重針よりなり、前記硬膜外針の外針内腔に挿通され、前記貫通孔より先端部を突出させて用いる脊髄麻酔のための針（スパイナル針）とからなるセットにおいて、前記スパイナル針が、針管の中途で複数の曲点よりなる曲がり部を備え、該曲がり部を挟み、先端側の針管軸が基側の針管軸に比して僅かに傾斜するように形成した。
【０００８】
前記スパイナル針外針に設ける曲がり部の具体的な形状として、該曲がり部をＶ字形状に形成し、該Ｖ字形状の形成する好ましい角度として、基側となる第一の曲がり部を針管軸に対し、４度以上６度以下に形成し、該第一の曲がり部に連続し、第一の曲がり部と反対側に曲げられる第二の曲がり部を、針軸管に対して第一の曲がり部と同等の角度に形成し、該第二の曲がり部に連続し、第二の曲がり部と反対側に戻し曲げられる第三の曲がり部を、針管に対して第一及び第二の曲がり部の角度に比して２度から４度小さく設定し形成した。
【０００９】
また、前記スパイナル針の外針を、先端部が細径に絞られた中空パイプより形成した。
【００１０】
（作用）
本手段の硬脊麻針セットによれば、スパイナル針が針管の中途でＶ字形状などの複数の曲点よりなる曲がり部を備え、該曲がり部より先端側の針管軸が基部側針管軸に対し僅かに傾斜する構成により、該スパイナル針を硬膜外針の外針に挿入するさいに、スパイナル針の先端側の針管部位の傾斜した軸方向が、硬膜外針の外針の刃面と反対側（針管軸の下側）に向くように挿入していくことにより、スパイナル針の先端が硬膜外針の針管軸より常に下側に向くため、通常この種の硬膜外針の外針として一般的な、針管軸より下側に貫通孔がある場合でも、刃先が下側側面を進み、貫通孔に自然に誘導されることで、硬膜外針の先端部からの誤った突出の可能性をほとんど無くすことができる。
また、前記作用を獲得するための製造手段として、別部材を用いることなく、折り曲げ治具によるプレス等のみにより可能となる。
更に、スパイナル針がＶ字形状などの曲がり部により、硬膜外針の外針内腔に嵌合し、かつ、針管の弾性により保持されることにより、硬膜外針内腔を通じてスパイナル針を穿刺するさい、該スパイナル針挿入中、常に手で把持していなくとも固定しておくことができる。
【００１１】
また、スパイナル針外針のＶ字に形成した曲がり部の各々の曲がり角度を前記範囲に設定することにより、スパイナル針外針への内針の挿入、抜去に不都合が生じることがなく、また、使用しないときに装着され針管を保護する、従来の一般的な針カバーにそのまま収めることができる。
【００１２】
また、スパイナル針外針の先端部を細径に絞ることで、くも膜下腔への穿刺創を小さくでき、副作用の懸念を低減することができると共に、基部側の太さにより穿刺時のコシの強さを確保することができる。
【発明の効果】
【００１３】
本発明の硬脊麻針セットによると、前記手段、及び、作用により、形状的に最も製造容易で、かつ、合理的で一般的な、貫通孔が、針管軸中心より下側（刃面の裏側より）にある硬膜外針であっても、高い精度でスパイナル針の刃先を硬膜外針の貫通孔から突出させることができる。
また、前記の通り、硬膜外針は従来の一般的な手段で製造可能で、また、スパイナル針も曲げ加工を施すのみであるため、従来と比べても大きく製造工程を増す必要がない容易な製造ができる。
更に、スパイナル針穿刺のさい、常に手で保持している必要がないため、術者の負担を軽くすることができる使い勝手に優れた器具とすることができる。
【発明を実施するための最良の形態】
【００１４】
以下、本発明の実施の形態の一例につき図面を参考にしながら詳細に説明する。尚、理解を容易とするため、本図面における針管は外径が大きく表されており、他部位と異なる縮尺となっている。
図１は、本発明の実施の形態を示す硬脊麻針セットの全体の構成図で、Ａが硬膜外針を、Ｂがスパイナル針を示している。
本例の硬脊麻針セットは、硬膜外針とスパイナル針の２本の穿刺針よりなるセットで、硬膜外針は、先端部を湾曲して、該湾曲部１１３に貫通孔１１４を設け、先端に刃先１１１及び刃面１１２を設けた針管１１と該針管１１の基部に設ける針基１２よりなる外針１と、人体への穿刺のさいに該外針１の内腔に挿着される、針管２１、及び、該針管２１基部に設ける針基２２よりなる内針２より構成し、スパイナル針は、先端に刃先３３１を備え、中途にＶ字形状の曲がり部３１２を備えた針管３１と該針管３１の基部に設ける針基３２よりなる外針３０と、穿刺のさいに該外針３０の内腔に装着される、前記外針の刃先に適合する刃先を備える針管３３１、及び、該針管３３１基部に設ける針基３３２よりなる内針３３より構成される。
【００１５】
次に、各構成部につき詳細に説明する。
図２は、本例の形態の硬膜外針の外針先端部の拡大図を示している。
針管１１は、外径が１８Ｇ（外径１．２５ｍｍ）、長さ８０ｍｍのステンレスパイプよりなり、公知の硬膜外針と同様に、硬膜外カテーテルが硬膜外腔にスムーズに挿入可能なように、先端部分を湾曲、あるいは、くの字形状に形成し、該湾曲部１１３の刃面１１２の背面で、針管１１の針管軸４より下側となる位置に、スパイナル針３の突出部となる貫通孔１１４を設けて構成される。また、一般的な硬膜外針と同様、穿刺のさいの穿刺深度の指標となる目盛３３が１０ｍｍ間隔に設けられてなる。
針基１２は、穿刺のさいに把持しやすいように翼１２１が設けれ、また、刃面１１２の方向の指標、または、後記するスパイナル針３の挿入方向の指標となるミゾ１２２（図６参照）を針管１１の刃面１１２の方向に一致させて備えて形成される。
内針２は、公知の硬膜外針の内針と同様で、針管２１は、前記外針１の内腔に摺動可能な外径のパイプより形成され、先端部は、製造加工の容易性を考慮し樹脂ロット（図示せず）を前記パイプにカシメにより固定して形成される。また、針基２２は、前記外針１の針基１２の雌テーパー部に嵌合する雄テーパー部と、内外針の刃面方向を一致させるための前記ミゾ１２２に適合する突起２２１を備えて形成され、穿刺時に、外針内腔に組織が入り込まないように外針１に取り付けて使用される。
【００１６】
図３は、本例のスパイナル針の針管の一部拡大図を示し、図４は、その曲がり部の角度の関係を示す説明図である。尚、図の角度は理解を容易とするため、記載の角度より大きく示されている。
スパイナル針外針３０の針管３１は、外径が２４G（外径０．５５ｍｍ（絞り部外径０．４５ｍｍ）、長さ約１００ｍｍ（硬膜外針に装着したさい、硬膜外針の先端から５ｍｍ〜６ｍｍ突出する長さ）のステンレスパイプよりなり、中途部（本例においては、先端から約３０ｍｍの位置）をＶ字状に曲げた曲げ部３１２とし、該曲げ部３１２を境にして、針管基側３１ｂの針管軸５ｂから、針管先端側３１ａの針管軸５ａを僅かに傾斜させて（本例においては、傾斜角２度）形成している。
本例のおけるＶ字状の曲がり部３１２の各々の角度は、針基側の第一の曲がり部３１２ａは、針管軸５ｂに対して５度とし、該第一の曲がり部３１２ａに連続するＶ字の頂部となる第二の曲がり部３１２ｂは、前記第一の曲がり部と逆側に、該第一の曲がり部と同じく、針管軸５ｂに対して５度（第一の曲がり部以降の針管軸との曲げ角は１０度）とし、そして、該第二の曲がり部３１２ｂに連続する先端側の曲がり部となる第三の曲がり部３１２ｃは、前記第二の曲がり部と逆側（針管軸に戻す方向）に、前記第一及び第二の曲がり部より３度小さく、針管軸５ｂに対し２度（第二の曲がり部以降の針管軸との曲げ角度は３度）に設定している。
尚、Ｖ字形状の曲げ部３１２を形成する加工手段は、特定するものではないが、Ｖ字型に形成された型にパイプをセットし、プレス加工することにより容易に形成することができる。
また、スパイナル針のくも膜下腔への穿刺による副作用を低減するため、針管３１の先端部側から約２０ｍｍの位置で、絞り加工（絞り加工部３３）を施し、穿刺時のコシを維持しながら、少しでも穿刺部分が細径なものとなるように形成している。
針基３２は、前記硬膜外針の外針１の針基１２の雌テーパー部に嵌合する雄テーパー部と、針管３１の先端側針管軸５ａの下降する方向と反対側に当たる位置に、前記硬膜外針の外針１の刃面１１２側に一致させて設けられたミゾ１２２と係合する突起３２１を設けて形成し、該外針１にスパイナル針３を挿入するさい、該ミゾ１２２と突起３２１の方向を一致させることで、スパイナル針先端が確実に硬膜外針の貫通孔１１４に誘導されるための指標としている。
内針３３は、公知のスパイナル針等の２重針の内針と同様のもので、前記外針３０の針管３１内腔に摺動可能に挿着されるステンレス線よりなる針管３３１と、基部に設ける針基３３２より構成され、穿刺時に、外針内腔に組織が入り込まないように取付けて使用される。尚、該内針３３の針管３３１は非常に細径であるため、また、外針の曲げ角度が適正であるため、外針の針管３１が曲げられた形状であっても、挿入、抜去に影響を受けることはない。
【００１７】
図５は、本例の硬膜外針の外針にスパイナル針を挿着した状態の全体図で、図６は、そのときの針基部の拡大図を示している。
硬膜外針の外針１にスパイナル針３を挿入し、挿着するさいは、先ず、硬膜外腔に硬膜外針を刺入後、外針１を残し、内針２を抜去し、前記外針１の内腔にスパイナル針３を挿入していくが、本例においては、前述したように、外針１の刃面１１２方向の指標となる針基１２のミゾ１２２と、スパイナル針３０の針管先端側３１ａの針管軸方向５ａの傾斜方向の指標となる針基３２の突起３２１とを一致させて挿入していき、該ミゾ１２２と突起３２１を嵌合させることにより、貫通孔１１４からスパイナル針先端を突出させることができる。
【００１８】
図７は、本発明の作用を説明するための模式図を示している。
前述したように、Ｖ字形状などの曲がり部３２１を備え、先端側の針管軸５ａが基部側の針管軸５ｂに対し僅かに傾斜する構成により、該スパイナル針３の針管３１を外針１の内腔に挿入するさいに、スパイナル針３の針管先端側３１ａの傾斜した軸方向５ａが、硬膜外針の外針１の刃面１１２と反対側（外針１の管軸４の下側）に向くように挿入していくことにより、針管３１の先端が内腔の下側側面を進み、貫通孔１１４に自然に誘導される作用と示しており、これにより、極めて高い精度でスパイナル針３先端を硬膜外針の貫通孔１１４から突出させることができる。
また、スパイナル針３が、Ｖ字形状などの曲がり部３２１により硬膜外針の外針１内腔に嵌合され、針管３１の弾性により内腔内部に保持されている作用を示しており、これにより、外針１の内腔を通じてスパイナル針３を穿刺するさい、挿入中常にスパイナル針３を把持していなくとも固定しておくことができる。
【００１９】
尚、本例のスパイナル針の曲がり部は、曲点を３箇所としたＶ字形状としているが、複数の曲点を有し、曲がり部を挟んで先端側の針管軸と基側の針管軸とが傾斜を有しているとした条件で、本発明の作用を有する形状のものであれば特定するものではない。また、曲がり部前後の針管軸は、平行であっても軸に特定の段差を有するものであれば同様な作用を有する可能性がある。
また、スパイナル針に曲がり部を備え、先端側及び基側の針管軸を傾斜させる最も容易な、くの字形状に１回曲げる手段は、曲げ角度が極めて小さくなるため安定した加工が困難で、また、硬膜外針を通じての穿刺のさい、中途で把持によらずに確実に固定しておくとするためには、大きな曲げが必要となり、この場合針管カバーをすることが困難になるなどの理由により採用していない。
【図面の簡単な説明】
【００２０】
【図１】本発明の硬脊麻針セットの実施の形態を示す全体構成図。
【図２】前記形態の硬膜外針の外針先端部を示す拡大断面図。
【図３】前記形態のスパイナル針外針の針管の一部を示す拡大図。
【図４】前記形態のスパイナル針外針の針管曲がり部の角度の関係を示す説明図。
【図５】前記形態の硬膜外針外針とスパイナル針を組合せた状態を示す構成図。
【図６】前記形態の針基部示す拡大図。
【図７】本発明の作用を示す説明図。
【符号の説明】
【００２１】
１．    硬膜外針外針
１１．  針管（硬膜外針外針）
１１３．湾曲部
１１４．貫通孔
１２．  針基（硬膜外針外針）
１２２．ミゾ
２．    硬膜外内針
２１．  針管（硬膜外針内針）
２２．  針基（硬膜外針内針）
３．    スパイナル針
３０．  スパイナル針外針
３１．  針管（スパイナル針外針）
３１ａ．針管先端側
３１ｂ．針管基側
３１２．Ｖ字曲がり部
３１２ａ．第一の曲がり部
３１２ｂ．第二の曲がり部
３１２ｃ．第三の曲がり部  
３２．  針基（スパイナル針外針）
３２１．突起
３３．  スパイナル針内針
３３１．針管（スパイナル針内針）
３３２．針基（スパイナル針内針）  
４．    硬膜外針針管軸
５ａ．  スパイナル針先端側針管軸
５ｂ．  スパイナル針基側針管軸
【図１】
2008284181.tif 000003
【図２】
2008284181.tif 000004
【図３】
2008284181.tif 000005
【図４】
2008284181.tif 000006
【図５】
2008284181.tif 000007
【図６】
2008284181.tif 000008
【図７】
2008284181.tif 000009